(57)【要約】【課題】挿入により装着されるメモリカード等の電子部品の挿抜によって電子部品の筐体の削りカスが発生しても、装着される電子部品の状態の検出を好適に行うこと。【解決手段】メモリカード２０の収容部１０２への装着完了又はメモリカード２０へのデータの書込可否を検出する検出部１６０Ａ、１６０Ｂは、固定端子１６２と可動端子１６１とを有する。可動端子１６１では、収容部１０２内に配置されるカード接触部１６３ａがメモリカード２０により押圧されて、可動接点部１６４ａが、固定端子１６２に接触して導通する。隔壁部１９０は、接触部１６３ａと可動接点部１６４ａとの間に、可動接点部１６４ａの固定端子１６２との接点領域を、接触部１６３ａのメモリカード２０との接触領域から隔離する。【選択図】図２
2010010108.tif 000002
【特許請求の範囲】
【請求項１】
挿入口から電子部品を挿入して内部の収容部に装着自在なハウジングと、
前記ハウジングの前記収容部に装着された前記電子部品によって開閉するスイッチとを有し、
前記スイッチは、前記ハウジングに固定される固定端子と、
前記収容部内に当該収容部から後退自在に配置され、前記収容部に挿入される前記電子部品により押圧されて前記収容部から後退する接触部及びこの接触部の後退移動に伴い、前記接触部と同方向に可動して、前記固定端子に接触して導通又は前記固定端子から離間する可動接点部を有する可動端子とを備え、
前記ハウジング内において前記接触部と前記可動接点部との間には、前記可動接点部の前記固定端子との接点領域を、前記接触部の前記電子部品との接触領域から隔離する隔壁部が設けられているコネクタ。
【請求項２】
挿入口から挿入されるメモリカードを収容する収容部を備えるハウジングと、
前記ハウジングに設けられ、前記メモリカードの前記収容部への装着完了又は前記メモリカードへのデータの書込可否を検出する検出部とを有し、
前記検出部は、前記ハウジングに固定される固定端子と、前記挿入口側から前記挿入方向に延出して配置され、撓み変形して、挿入される前記メモリカードの厚み方向に可動する可動端子とを備え、
前記可動端子は、前記収容部内に配置され前記収容部に挿入される前記メモリカードにより押圧されて前記厚み方向に移動して前記収容部から後退する接触部と、
前記接触部の後退移動に伴い、前記厚み方向に可動して、前記固定端子に接触して導通又は前記固定端子から離間する可動接点部とを有し、
前記ハウジング内において前記接触部と前記可動接点部との間には、前記可動接点部の前記固定端子との接点領域を、前記接触部の前記メモリカードとの接触領域から隔離する隔壁部が設けられているコネクタ。
【請求項３】
前記隔壁部は、前記接触部の接触相手に接触する部分と、前記可動接点部と前記固定端子との接点部分と、を結ぶ略直線上に、当該略直線と交差して設けられている請求項１又は２記載のコネクタ。
【請求項４】
前記固定端子は、前記ハウジングにおいて、前記挿入方向と交差する方向で前記収容部に近接する位置に配置され、
前記可動端子は、長尺の金属板を加工してなり、前記挿入口側から挿入方向に延出され、先端部を前記収容部内に突出させて前記接触部とし、可動して前記接触部を前記該収容部から後退自在な可動アーム部と、
前記可動アーム部から前記固定端子の方向に分岐して形成され、前記可動アーム部の可動に伴い、前記固定端子に接触して導通又は前記固定端子から離間する前記可動接点部を備える接点アーム部とを有し、
前記隔壁部は、前記可動アーム部と前記接点アーム部との分岐部分、前記接触部及び前記可動接点部の間に設けられている請求項１から３のいずれか一項に記載のコネクタ。
【請求項５】
前記隔壁部において前記挿入口側の端部は、前記収容部側から離間する方向に傾斜する傾斜面を有する請求項４記載のコネクタ。
【発明の詳細な説明】
【技術分野】
【０００１】
本発明は、基板などに実装されて、挿入されるメモリカード等の電子部品を基板に電気的に接続するコネクタに関する。
【背景技術】
【０００２】
従来からデジタルカメラなどのデータの記憶媒体として、樹脂製の薄板状の筐体を有するメモリカードが広く用いられており、種々の種類や規格の小型のメモリカードが知られている。最近では、携帯電話用のデータの記憶媒体としてもメモリカードが用いられており、非常に小型のメモリカードも市販されている。
【０００３】
これらのメモリカードを記憶媒体とするデジタルカメラや携帯電話などの電子機器には、メモリカード用のコネクタ（コネクタ）が設けられ、メモリカードは、メモリカードコネクタに挿入することで電子機器に装着される。
【０００４】
このようなメモリカードコネクタには、例えば、特許文献１に示すように、コネクタ本体に挿入されるメモリカードが接点部分を接離させることにより、メモリカード自体の状態を電気的に検出する検出スイッチが設けられている。検出スイッチとしては、カード挿入を検出するカード検出スイッチがある。
【０００５】
図９は、従来のメモリカードコネクタにメモリカードが挿入されたことを検出するカード検出スイッチの従来構成を示す図である。
【０００６】
図９に示す従来のカード検出スイッチ１は、コネクタ本体３において、装着されるメモリカード２の挿入方向に沿って延在する一方の案内側壁４側に設けられている。
【０００７】
カード検出スイッチ１は、コネクタ本体３の案内側壁４に沿って配置された固定板５と、固定板５に対して幅方向に並べて離間して配置された可動板６とから構成されている。
【０００８】
可動板６は、コネクタ本体３の幅方向で固定板５に対向し、案内側壁４側から挿入経路内に突出する折曲部７を有する。
【０００９】
メモリカード２が装着位置に在るときは、可動板６の折曲部７がメモリカード２の側面によって押され、これにより折曲部７の基端が固定板５に当接し、可動板６と固定板５は電気的に導通状態（クローズ）となる。
【００１０】
このように従来のメモリカードコネクタでは、挿入方向に沿う一方の案内側壁４側において、初期状態では、固定板５と可動板６は電気的に遮断状態（オープン）である。これに対して、メモリカードが挿入されると、可動板６が側方に撓むことで固定板５に接触し、固定板５と可動板６は電気的に導通状態となる。また、メモリカード２をコネクタ本体３から抜去すると、可動板６の折曲部７は復帰して可動板６と固定板５は電気的に遮断状態となる。このようにして、メモリカードの挿入を検出している。なお、これら可動板６と固定板５の終端は、コネクタ本体３が実装される図示しないプリント基板のカード検出回路に接続されている。
【特許文献１】特開２００３−２２８７０号公報
【特許文献２】特開２００５−７１６６６号公報
【発明の開示】
【発明が解決しようとする課題】
【００１１】
しかしながら、従来のメモリカードコネクタでは、ハウジング内において、挿入されるカードが摺動する可動部６の折曲部７に対して、折曲部７の基端に接触する固定板５が幅方向で対向して配置された状態となっている。このため、樹脂製のカード側面と可動板６との接触によって発生するカードの削りカスが、可動板６と固定板５とのスイッチ接点部分に移動して、互いの接触を阻害する恐れがあるという問題がある。
【００１２】
本発明はかかる点に鑑みてなされたものであり、挿入により装着されるメモリカード等の電子部品の挿抜によって電子部品の筐体の削りカスが発生しても、装着される電子部品の状態の検出を好適に行うことができるコネクタを提供することを目的とする。
【課題を解決するための手段】
【００１３】
本発明のコネクタは、挿入口から電子部品を挿入して内部の収容部に装着自在なハウジングと、前記ハウジングの前記収容部に装着された前記電子部品によって開閉するスイッチとを有し、前記スイッチは、前記ハウジングに固定される固定端子と、前記収容部内に当該収容部から後退自在に配置され、前記収容部に挿入される前記電子部品により押圧されて前記収容部から後退する接触部及びこの接触部の後退移動に伴い、前記接触部と同方向に可動して、前記固定端子に接触して導通又は前記固定端子から離間する可動接点部を有する可動端子とを備え、前記ハウジング内において前記接触部と前記可動接点部との間には、前記可動接点部の前記固定端子との接点領域を、前記接触部の前記電子部品との接触領域から隔離する隔壁部が設けられている構成を採る。
【００１４】
本発明のコネクタは、挿入口から挿入されるメモリカードを収容する収容部を備えるハウジングと、前記ハウジングに設けられ、前記メモリカードの前記収容部への装着完了又は前記メモリカードへのデータの書込可否を検出する検出部とを有し、前記検出部は、前記ハウジングに固定される固定端子と、前記挿入口側から前記挿入方向に延出して配置され、撓み変形して、挿入される前記メモリカードの厚み方向に可動する可動端子とを備え、前記可動端子は、前記収容部内に配置され前記収容部に挿入される前記メモリカードにより押圧されて前記厚み方向に移動して前記収容部から後退する接触部と、前記接触部の後退移動に伴い、前記厚み方向に可動して、前記固定端子に接触して導通又は前記固定端子から離間する可動接点部とを有し、前記ハウジング内において前記接触部と前記可動接点部との間には、前記可動接点部の前記固定端子との接点領域を、前記接触部の前記メモリカードとの接触領域から隔離する隔壁部が設けられている構成を採る。
【発明の効果】
【００１５】
本発明によれば、挿入により装着されるメモリカード等の電子部品の挿抜によって電子部品の筐体の削りカスが発生しても、装着される電子部品の状態の検出を好適に行うことができる。
【発明を実施するための最良の形態】
【００１６】
以下、本発明の実施の形態について、図面を参照して詳細に説明する。本実施の形態では、コネクタを、挿入される電子部品をメモリカードとしたカードコネクタとして説明するが、これに限らない。コネクタは、挿入される電子部品と、実装される基板とを電気的に接続する構成であれば、どのような電子部品に対して用いられるコネクタとしてもよい。
【００１７】
図１は、本発明の一実施の形態に係るコネクタと当該コネクタに装着されるメモリカードとを示す斜視図、図２は同コネクタにおいて検出スイッチを備えるハウジングの斜視図である。図３は、同コネクタのハウジングの平面図であり、図４は同コネクタのハウジングの正面図である。なお、本実施の形態では、メモリカードが挿入される挿入口１０１を前とし、この前を基準にコネクタの後、左、右を規定する。
【００１８】
図１に示すカードコネクタ１００は、ハウジング１１０（図２参照）にシールドカバー１８０を被せることによって、一側面部分に形成された挿入口１０１から挿入されるメモリカード２０を収容する矩形板状をなす。カードコネクタ１００は、図２及び図３に示すように、内部に検出スイッチ１６０Ａ、１６０Ｂを備える。
【００１９】
ハウジング１１０は、図２に示すように合成樹脂等の絶縁材により前面と上面とを開口した箱状に形成され、肉薄の底板部１２０、両側壁部１３０、１４０及び後端側壁部１５０を備える。このハウジング１１０に、下方に開口する断面コ字状のシールドカバー１８０（図１参照）を上方から被せることによって、挿入されるメモリカード２０を収容する収容部１０２が形成されている。
【００２０】
なお、このカードコネクタ１００は、挿入されるメモリカード２０の形状に対応して形成されている。カードコネクタ１００に装着されるメモリカード２０は、一般的に、データの消去・書き込みを自由に行なうことができ、電源を切っても内容が消えないフラッシュメモリ（Flash Memory）を備えるものである。ここでメモリカード２０ついて説明する。
【００２１】
図５は本発明の一実施の形態に係るコネクタに装着されるメモリカードを示す平面図である。
【００２２】
図５に示すように、メモリカード２０は、内部にＩＣ（図示しない）を収容した樹脂製の薄板状をなし、一方の面（裏面）の先端部には、ハウジング１１０の複数のコンタクトピン１７０とそれぞれ接続する電極（パット）２１が幅方向に複数並べて配設されている。また、メモリカード２０の両側部２２、２３には長手方向に沿って一方の面（裏面）側と側方（幅方向）に開口する溝が形成されている。
【００２３】
平面視矩形板状のメモリカード２０には、先端部２０ａの他側部（メモリカード２０からみてカードコネクタ１００に対する挿入方向を先端側とした右側部）２２側の角部を切り欠いてなる切欠部２４が形成されている。この切欠部２４によりメモリカード２０の先端部２０ａは、先端に向かって基端部側よりも幅が狭くなっている。
【００２４】
また、メモリカード２０の一側部（挿入方向側を先端側とした左側部）２３には、カード書き込み禁止を示す識別部として機能する凹部２５が形成されている。この凹部２５に隣接して識別片２６が配置され、識別片２６は、メモリカード２０の他側部２３の延在方向に沿って凹部２５側にスライド移動する。この識別片２６をスライド移動させることによって凹部２５は閉塞され、凹部２５内における識別片２６の位置に応じてカード２０への書き込みの可否は変更される。
【００２５】
メモリカード２０は、自由にデータの読み書きが行えるものであるが、複写が自由にできないものであってもよい。このメモリカード２０としては、ＰＣカード，コンパクトフラッシュ（登録商標）カード，スマートメディア，ＳＤカード（Secure Digital memory card）、メモリースティック等が挙げられる。
【００２６】
メモリカード２０が装着されるハウジング１１０には、図２及び図３に示すように、底板部１２０の後端側に、幅方向に並べて複数のコンタクトピン１７０が設けられている。これらコンタクトピン１７０は、それぞれ可撓性を有し、底板部１２０から上方に突出して設けられている。コンタクトピン１７０の突出する端部１７１は、収容部１０２内において、メモリカード２０のパット（図参照）に対応する位置に配置され、それぞれ下方に移動自在な接点部１７１である。これら接点部１７１は、収容部１０２に収容されるメモリカード２０の電極２１（図５参照）に押圧されることで、電極２１と対応する組同士で接触して、それぞれ電気的に接続される。
【００２７】
なお、ハウジング１１０に取り付けられるコンタクトピン１７０は、ハウジング１１０に取り付けられる他の導電性部品とともに、インサート成形によってハウジング１１０に組み付けられる。
【００２８】
ハウジング１１０において底板部１２０の両辺から立ち上がる両側壁部１３０、１４０は、カード挿入口１０１からコネクタ１００内に挿入されるメモリカード２０を後端側壁部１５０側に案内する。
【００２９】
具体的には、右側壁部１３０及び左側壁部１４０には、それぞれ内壁面の下辺部から収容部１０２側に突出するガイドレール１３３、１４３が設けられている。これらガイドレール１３３、１４３は、ハウジング１１０の内側で、両側壁部１３０、１４０の下辺部に沿って延在し、それぞれの上面で、挿入口１０１から挿入されるメモリカード２０の両側部２３、２２を収容部１０２内へ好適に案内する。これにより、メモリカード２０が収容部１０２に収容された際に、ガイドレール１３３、１４３のそれぞれの上面上には、メモリカード２０の両側部２２、２３が配置される。ここでは、ガイドレール１３３、１４３は、メモリカード２０の両側部２２、２３（図５参照）に形成された溝部に沿って摺動する。
【００３０】
ハウジング１１０における両側壁部１３０、１４０のうち一方の側壁部、ここでは右側の側壁部１３０には、隔壁部１９０によって、収容部１０２に対して仕切られた切欠部１３４、１３５が形成されている（図３参照）。
【００３１】
切欠部１３４、１３５は、図３に示すように、側壁部１３０内に、隔壁部１９０を挟み収容部１０２に沿って形成され、それぞれ挿入口１０１側で収容部１０２と連通している。切欠部１３４、１３５の収容部１０２との連通部分は、当該連通部分に隣接する部分を含むガイドレール１３３の一部及び底板部１２０の一部を挿入口１０１側に切り欠くとともに挿入方向側に隔壁部１９０に沿って底板部１２０を切り欠いてなる開口部１２４、１２６と連通している。切欠部１３４、１３５は、開口部１２４、１２６とともに、ハウジング１１０に検出スイッチ配設領域を形成している。
【００３２】
これら検出スイッチ配置領域に、カード検出スイッチ１６０Ａ及びカード書込要否検出スイッチ（「書込可否検出スイッチ」ともいう）１６０Ｂが右側壁部１３０の延在方向、つまり挿入方向に沿って配置されている。
【００３３】
図６は、ハウジングの切欠部１３４、１３５を示す図３のＡ−Ａ線矢視端面図である。
【００３４】
図２，図３及び図６に示す切欠部１３４、１３５内に、当該右側壁部１３０に沿ってカード検出スイッチ１６０Ａ及びカード書込可否検出スイッチ１６０Ｂの可動接点部１６４ａが配置されている。
【００３５】
図２、図３及び図６に示す検出スイッチ１６０Ａ、１６０Ｂは、収容部１０２に挿入されるメモリカード２０を電気的に検出する。具体的には、カード検出スイッチ１６０Ａは、収容部１０２に挿入されるメモリカード２０（図５参照）自体を検出し、書込可否検出スイッチ１６０Ｂは、挿入して装着されるメモリカード２０の識別片２６（図５参照）の位置を検出する。
【００３６】
カード検出スイッチ１６０Ａ及び書込可否検出スイッチ１６０Ｂは、略同様の構成、機能を有し、略同様に取り付けられているため、カード検出スイッチ１６０Ａの構成のみ説明し、書込可否検出スイッチ１６０Ｂは省略する。
【００３７】
カード検出スイッチ１６０Ａは、図３及び図６に示すように、収容部１０２内で揺動自在に配置され、挿入されるメモリカード２０に押圧されて可動する可動端子１６１と、ハウジング１１０側に固定された固定端子１６２とを備える。
【００３８】
可動端子１６１及び固定端子１６２はそれぞれ金属板を加工してなる。
【００３９】
可動端子１６１は、図２及び図３に示すように、挿入されるメモリカード２０に接触するカード接触部１６３ａと、カード接触部１６３ａへの接触により固定端子１６２に接離する可動接点部１６４ａとを有する。
【００４０】
可動端子１６１は、可撓性を有する長尺の導電性部材（ここでは金属板）からなり、ガイドレール１３３の一部（第１ガイドレール１３３ａ）からオーバーハングした状態で設けられ、弾性変形して先端部側は、検出スイッチ配置領域内において揺動自在となっている。なお、書込可否検出スイッチ１６０Ｂでは、可動端子１６１は、第２ガイドレール１３３ｂ（図２及び図３参照）から突出して設けられている。
【００４１】
具体的に、可動端子１６１は、第１ガイドレール１３３ａの奥側端面から挿入方向に沿って、第１ガイドレール１３３ａの延長線上に延在して設けられ、先端部を、カード挿入領域に連通する収容部１０２内に配置させた可動アーム部１６３を有する（図２及び図３参照）。
【００４２】
図２、図３及び図４に示すように、収容部１０２に配置される可動アーム部１６３の先端部が、収容部１０２に挿入されるメモリカード２０に接触するカード接触部１６３ａとなっている。カード接触部１６３ａは、挿入されるメモリカード２０に挿入方向に押圧されることによって収容部１０２から離間する方向に移動する。
【００４３】
このように可動アーム部１６３は、ハウジング１１０に対して、挿入口１０１側から挿入方向に沿って延在し、基端部側を中心に揺動して、収容部１０２に位置する先端部のカード接触部１６３ａを収容部１０２内から離間する方向に移動自在に設けられている。
【００４４】
また、可動アーム部１６３には、先端部に可動接点部１６４ａが形成された接点アーム部１６４が連結されている。
【００４５】
接点アーム部１６４は、可動アーム部１６３の延在方向と交差する方向、ここでは、右側壁部１３０側に延びる連結片部１６４ｂを介して、可動アーム部１６３に沿って延在する接点アーム部本体１６４ｃを有する。この接点アーム部本体１６４ｃの先端部に可動接点部１６４ａが形成されている。
【００４６】
連結片部１６４ｂは、開口部１２４と切欠部１３４とを連通させる連通口内に配置されている。なお、この連通口は、挿入方向側の両側で、右側壁部１３０と、切欠部１３４及び収容部１０２を仕切る隔壁部１９０とにより仕切られている。
【００４７】
接点アーム部本体１６４ｃは、図６に示すように連結片部１６４ｂの先端部から、メモリカード２０の挿入方向、つまり、ハウジング１１０の後方に向かって延在しており、ここでは、可動アーム部１６３と平行に配置されている。
【００４８】
接点アーム部１６４（具体的には接点アーム部本体１６４ｃ）は、ここでは、平面視して、可動アーム部１６３よりも長尺に形成され、先端の可動接点部１６４ａが、可動アーム部１６３の先端のカード接触部１６３ａよりも後方に位置している（図３参照）。
【００４９】
本実施の形態の可動端子１６１では、接点アーム部１６４を、平面視して、可動接点部１６４ａの位置が、カード接触部１６３ａから、可動アーム部１６３の基端部からカード接触部１６３ａまでの長さに相当する長さ分、後方に位置するように形成されている。
【００５０】
これにより、可動アーム部１６３が基端部を中心に一定範囲揺動した際に、可動アーム部１６３の先端のカード接触部１６３ａの変位よりも接点アーム部１６４における先端部である可動接点部１６４ａの変位の方が大きくなる。これにより、カード接触部１６３ａの変位によって可動接点部１６４ａの変位を大きくして、固定端子１６２に対して確実に離間させることができる。
【００５１】
この可動端子１６１は、金属板を加工することによって各部１６３、１６４、１６６を形成している。帯状の可動アーム部１６３から水平方向に突出する板状の連結片部１６４ｂの先端部を折曲して立ち上げて接点アーム部１６４の基端部を形成し、この基端部から棒状部材を可動アーム部１６３の長手方向に沿って、可動アーム部１６３よりも長く延在させる接点アーム部１６４自体を形成している。棒状部材は、接点アーム部１６４の本体となり、その先端部分が可動接点部１６４ａとなる。
【００５２】
なお、可動アーム部１６３と連結片部１６４ｂとの接合部分は、リブ１６１ｃにより補強されている。
【００５３】
図２に示すように、カード接触部１６３ａは、第１ガイドレール１３３ａに沿って配置され、先端部を収容部１０２側に折曲することより形成されてなり、挿入方向に沿って上方に傾斜する傾斜面を有する。この傾斜面で、収容部１０２内に挿入されるメモリカード２０に接触する。
【００５４】
図２、図３及び図６に示すように、接点アーム部１６４は、右側壁部１３０内に、収容部１０２に沿って形成された切欠部１３４内に配置されている。切欠部１３４内において、可動アーム部１６３の揺動による接点アーム部１６４における先端の可動接点部１６４ａの軌道上には固定端子１６２が配置されている。
【００５５】
図７は、固定端子と可動端子の接点部との位置関係を示す図であり、両者の接点部分を挿入方向から見た要部断面図である。
【００５６】
図７に示すように固定端子１６２は絞り形状をなし、後側壁部１５０と右側壁部１３０との角部分を切り欠いてなる切欠部１３４の領域内に、当該切欠部１３４の側方（具体的には、後側壁部１５０）から下方に突出し、可動接点部１６４ａの軌道と交差して配置されている。常態時では、切欠部１３４内において、固定端子１６２は可動接点部１６４ａの下方に配置され、カード検出スイッチ１６０Ａは、カード非装着時には、オフ（電気的に遮断状態）であるノーマルオープンスイッチとしている。
【００５７】
このようにハウジング１１０において、可動端子１６１の可動接点部１６４ａと固定端子１６２とのスイッチ接点部分（接点領域に相当）と、可動端子１６１のカード接触部１６３ａと挿入されるメモリカード２０とのカード接触部分（接触領域に相当）とは、スイッチ接点部分とカード接触部分とを結ぶ直線上に配置された隔壁部１９０によって仕切られている。言い換えれば、隔壁部１９０は、接触部１６４ａの接触相手（メモリカード２０）に接触する部分と、可動接点部１６４ａと固定端子１６２との接点部分と、を結ぶ略直線上に、略直線と交差して設けられている。
【００５８】
隔壁部１９０は右側壁部１３０の一部であり、連通口を挿入方向側で仕切る端部には、挿入口側につれて、収容部１０２から離間する幅方向に傾斜する傾斜面１９２を備える（図２参照）。
【００５９】
すなわち、隔壁部１９０は、当該隔壁部１９０とハウジング１１０の幅方向で隣り合う収容部１０２を、ハウジング１１０の後方、つまり挿入方向に向かって狭くなるように画成している。この傾斜面１９２によって挿入されるメモリカード２０を好適に収容部１０２内に案内させることができる。なお、隔壁部１９０は、ハウジング１１０と一体的に形成され、ハウジング１１０にインサート成形で設けられる導電性を有する金属材（ここでは金属板）により補強されている。詳細には、隔壁部１９０は、底板部１２０に略面一に埋設された金属板を折曲して挿入方向に延在するように立ち上がる金属片と、金属片を覆う樹脂材とにより形成されている。よって、隔壁部１９０は、内部の金属片により補強された状態になっている。
【００６０】
また、ハウジング１１０における両側壁部１３０、１４０のうち他方の側壁部（左側壁部１４０）１４０側には、図示しないが、カードの挿抜によりハウジング底面上をメモリカードの挿抜方向に沿って前後に移動するスライダと、スライダをメモリカード挿入口側に向けて付勢するコイルスプリングとを含むイジェクト機構が配設される。なお、イジェクト機構は、メモリカードを、コネクタ１００に完全に挿入された挿入完了位置と、その手前の挿入位置で軽く保持するためのハーフロック位置との２箇所の位置で保持できる周知の技術であるため説明は省略する。図２では、左側壁部１４０内に、コイルスプリングを収容するスプリング収容部１４５と、スライダを挿入完了位置でロックするハートカム部１４６とが設けられている。
【００６１】
このように構成されたコネクタ１００では、メモリカード２０を挿入口１０１から挿入すると、メモリカード２０は、ハウジング１１０のガイドレール１３３、１４３により後端側壁部１５０側に案内され、収容部１０２内を移動する。
【００６２】
収容部１０２内を、ハウジング１１０の後方に移動するメモリカード２０は、収容部１０２内に突出するカード接触部１６３ａに当接し、当該カード接触部１６３ａを押圧する。これにより先端部にカード接触部１６３ａが形成された可動アーム部１６３は、弾性変形して、カード接触部１６３ａとともに下方に変位し、この変位に伴い、開口部１２４内に配置され、可動接点部１６４ａを有する接点アーム部１６４も揺動して下方に変位する。
【００６３】
接点アーム部１６４の変位によって可動接点部１６４ａは、下方の固定端子１６２に当接し、当該固定端子１６２の傾斜面を摺動しつつ当該固定端子１６２と押圧した状態で維持される。これにより、メモリカード２０が収容部１０２に収容されてコネクタ１００への装着が完了した状態では、メモリカード２０は、電極２１とコンタクトピン１７０とが電気的に接続した状態でコネクタ１００に保持される。このとき、カード検出スイッチ１６０Ａでは、可動端子１６１と固定端子１６２とが接触した状態、つまり、電気的に導通した状態となっており、カードが挿入完了状態、つまり、カード装着状態であることを検出する。このように、挿入されるメモリカード２０により押圧されて、カード接触部１６３ａは、収容部１０２から後退し、このカード接触部１６３ａの後退移動に伴って、可動接点部１６４ａはカード接触部１６３ａと同方向に可動して、固定端子１６２に接触して導通する。
【００６４】
また、書込要否検出スイッチ１６０Ｂもカード検出スイッチ１６０Ａと同様に動作する。つまり、可動端子１６１において収容部１０２内に突出するカード接触部１６３ａは、挿入されるメモリカード２０（溝部を画成する一側部２３の切欠部分）により押圧され、可動接点部１６４ａと固定端子１６２とが接触状態となる。
【００６５】
メモリカード２０が装着完了した状態では、メモリカード２０において凹部２５が識別片２６で閉塞されている場合、カード接触部１６３ａは、凹部２５内の識別片２６に下方から当接し、可動端子１６１と固定端子１６２とは接触状態したままとなる。これにより、書込可能状態であることを検出する。
【００６６】
一方、メモリカード２０において、凹部２５内に識別片２６が配置されていない場合、メモリカード２０が収容部１０２の奥側まで移動して挿入完了状態時である場合、カード接触部１６３ａは、切り欠かれた凹部２５内に配置される。つまり、凹部２５内に接触部１６３ａが突出して復帰した状態となるため、可動アーム部１６３は復元し、接点アーム部１６４も元の状態（電気的に遮断状態）に戻る。これにより接点アーム部１６４ａは固定端子１６２から離間して、接触状態（電気的に導通状態）が解除される。よって、書込要否検出スイッチ１６０Ｂは、オープン状態となり、書込不可であることを検出する。
【００６７】
これらカード検出スイッチ１６０Ａ及び書込要否検出スイッチ１６０Ｂでは、メモリカード２０の挿入によって可動端子１６１が可動し、固定端子１６２と接離する。
【００６８】
コネクタ１００においてカード検出スイッチ１６０Ａ及び書込要否検出スイッチ１６０Ｂが動作する場合、それぞれのカード接触部１６３ａは、挿入されるメモリカード２０の一側部２３と摺動を繰り返す。これにより、カード接触部１６３ａに接触するメモリカード２０の一側部２３の摺動部分は必然的に削れ、削りカスが発生する。
【００６９】
本実施の形態に係るコネクタ１００のカード検出スイッチ１６０Ａ及び書込要否検出スイッチ１６０Ｂでは、カード接触部１６３ａ及びメモリカード２０のカード接触部分と、可動接点部１６４ａ及び固定端子１６２のスイッチ接点部分（接点領域）とが、ハウジング１１０の一側壁部（ここでは右側壁部１３０）側で近接して配置されている。
【００７０】
そして、これらカード接触部分とスイッチ接点部分との間には、カード接触部分とスイッチ接点部分とを結ぶ直線上に配置された隔壁部１９０により仕切られている。すなわち、スイッチ接点部分は、隔壁部１９０によって、カード接触部１６３ａが位置する収容部１０２から隔離されている。
【００７１】
このように本実施の形態では、挿入口１０１から挿入されるメモリカード２０を収容する収容部１０２を備えるハウジング１１０と、ハウジング１１０に設けられ、メモリカード２０の収容部１０２への装着完了するカード検出スイッチ（検出部）１６０Ａと、カード検出スイッチ１６０Ａと基本的に同構成であり、メモリカード２０へのデータの書込可否を検出する書込可否検出スイッチ（検出部）１６０Ｂとを有する。また、各検出スイッチ１６０Ａ、１６０Ｂは、ハウジング１１０に固定される固定端子１６２と、挿入口１０１側から挿入方向に延出して配置され、撓み変形により可動する可動端子１６１とを備える。可動端子１６１は、収容部１０２内に当該収容部１０２から後退自在に配置され収容部１０２に挿入されるメモリカード２０により押圧されて収容部１０２から後退するカード接触部１６３ａと、カード接触部１６３ａの後退移動に伴い、カード接触部１６３ａと同方向に可動して、固定端子１６２に接触して導通する可動接点部１６４ａとを有する。また、ハウジング１１０内においてカード接触部１６３ａと可動接点部１６４ａとの間には、可動接点部１６４ａの固定端子１６２との接点領域を、カード接触部１６３ａのメモリカード２０との接触領域から隔離する隔壁部１９０が設けられている。
【００７２】
ここでは、固定端子１６２は、ハウジング１１０において、挿入方向と交差する方向で収容部１０２に近接する位置に配置されている。また、可動端子１６１は、長尺の金属板を加工してなり、挿入口側から挿入方向に延出されている。カード接触部１６３ａは、収容部１０２内に突出させてなる可動アーム部１６３の先端部であり、可動アーム部１６３の可動により収容部１０２から後退自在となっている。接点アーム部１６４は、可動アーム部１６３から固定端子１６２の方向に分岐して形成され、可動アーム部１６３の可動に伴い、可動接点部１６４ａにより固定端子１６２に接触して導通する。また、隔壁部１９０は、可動アーム部１６３と接点アーム部１６４との分岐部分、カード接触部１６３ａ及び可動接点部１６４ａの間に設けられている。
【００７３】
したがって、隔壁部１９０は、メモリカード２０の挿抜によってカードがカード接触部１６３ａに接触し、摺動することによって発生する削りカスが、可動接点部１６４ａと固定端子１６２とのスイッチ接点部分に移動することを防止する。これにより、スイッチ接点部分である可動接点部１６４ａと固定端子１６２との間に削りカスが介在することによる接触不具合が発生することがなく、メモリカード２０の挿入及び書込要否を確実に検出することができる。
【００７４】
また、コネクタ１００では隔壁部１９０によって収容部１０２から、カード検出スイッチ１６０Ａ及び書込要否検出スイッチ１６０Ｂにおける可動端子１６１と固定端子１６２とのスイッチ接点部分を隔離している。このため、収容部１０２にゴミが入った場合でも、スイッチ接点部分の接触不具合が発生しにくく、可動端子１６１及び固定端子１６２を好適に接離させることができる。
【００７５】
したがって、本実施の形態によれば、挿入して電気的に接続されるメモリカード２０の小型化に伴い小型化及び実装スペースの省スペース化を図ることができるとともに、メモリカード２０の挿抜によってメモリカード２０の筐体の削りカスが発生しても、各スイッチ１６０Ａ、１６０Ｂの接触状態を好適に行うことができる。よって、挿入により装着されるメモリカード２０の挿入検出及び書込可否検出を好適に行うことができる。
【００７６】
なお、切欠部１３４、１３５と、収容部１０２とを連通させて、可動端子１６１の連結片部１６４ｂが揺動自在に配置される連通口は、可動端子１６１が上述した機能を有するものであれば、図８に示すように、壁部１９５により閉塞してもよい。
【００７７】
図８は、本実施の形態に係るコネクタ１００において、可動端子１６１の可動アーム部１６３と接点アーム部１６４との接合部分である連結片部１６４ｂが配置される連通口を壁部１９５により閉塞した変形例を示している。
【００７８】
このように、可動アーム部１６３が配置される領域と、接点アーム部１６４が配置される領域とを連通する連通口を壁部１９５により閉塞して、一側壁部（右側壁部）１３０の内壁面を長手方向に延在する面とすれば、メモリカード２０と接触するカード接触部分で発生する削りカスのスイッチ接点部分への侵入を一層防止できる。
【００７９】
また、可動接点部１６４ａは、固定端子１６２の傾斜面を摺動しつつ固定端子１６２と接触する。このため、例え、可動接点部１６４ａと固定端子１６２との間にゴミなどの異物が介在した場合でも、互いの摺動により両者の接触部分の異物を除去することができる。
【００８０】
なお、本実施の形態のコネクタ１００では、カード検出スイッチ１６０Ａ及び書込要否検出スイッチ１６０Ｂをノーマルオープンスイッチとしたが、これに限らずノーマルクローズスイッチとしてもよい。この場合、カード挿入の際に、固定端子１６２から可動端子１６１が離間することによってカード挿入を検出する。
【００８１】
また、本実施の形態のコネクタ１００は、電極２１を有するメモリカード２０を挿入して装着し、電極２１をコンタクトピン１７０に電気的に接続するものとしたが、挿入して電気的に接続させるものであれば、どのような電子部品を装着してもよい。
【００８２】
なお、上記本発明は、本発明の精神を逸脱しない限り、種々の改変をなすことができ、そして本発明が該改変させたものに及ぶことは当然である。
【産業上の利用可能性】
【００８３】
本発明に係るコネクタは、挿入により装着されるメモリカード等の電子部品の挿抜によって電子部品の筐体の削りカスが発生しても、挿入して装着される電子部品の状態の検出を好適に行うことができる効果を有し、特にメモリカード用コネクタとして有用である。
【図面の簡単な説明】
【００８４】
【図１】本発明の一実施の形態に係るコネクタと当該コネクタに装着されるメモリカードとを示す斜視図
【図２】同コネクタにおいて検出スイッチを備えるハウジングの斜視図
【図３】同コネクタのハウジングの平面図
【図４】同コネクタのハウジングの正面図
【図５】同コネクタに装着されるメモリカードを示す平面図
【図６】ハウジングの切欠部を示す図３のＡ−Ａ線矢視端面図
【図７】固定端子と可動端子の接点部との位置関係を示す図であり、両者の接点部分を挿入方向から見た要部断面図
【図８】本実施の形態に係るコネクタの変形例を示す要部斜視図
【図９】従来のメモリカードコネクタにおけるメモリカード挿入を検出するカード検出スイッチの構成を示す図
【符号の説明】
【００８５】
２０  メモリカード
２１  電極
１００  カードコネクタ
１０１  挿入口
１０２  収容部
１１０  ハウジング
１２０  底板部
１２４  開口部
１３０  右側壁部
１３４、１３５  切欠部
１６０Ａ  カード検出スイッチ
１６０Ｂ  書込要否検出スイッチ
１６１  可動端子
１６２  固定端子
１６３  可動アーム部
１６３ａ  カード接触部
１６４  接点アーム部
１６４ａ  可動接点部
１９０  隔壁部
１９２  傾斜面
１９５  壁部
【図１】
2010010108.tif 000003
【図２】
2010010108.tif 000004
【図３】
2010010108.tif 000005
【図４】
2010010108.tif 000006
【図５】
2010010108.tif 000007
【図６】
2010010108.tif 000008
【図７】
2010010108.tif 000009
【図８】
2010010108.tif 000010
【図９】
2010010108.tif 000011